(57)【要約】【課題】想定された折線で最も折り返し易くなるとともに、縫製等行わなくても適正箇所で折り返した形状を維持可能な折り返し編地部分を有する編地及びその編成方法の提供を目的とする。【解決手段】折り返し編地部分を有する編地の編成方法は、針床を少なくとも前後一対備えた横編機により、編地の折線５に沿って折り返されて使用される折り返し編地部分を有する編地の編成方法であって、第一編地部６と第二編地部７との境界となる折線５形成位置において編み出し部を形成し、当該編み出し部に対し編成を行い、当該編み出し部に形成した編目を第一編地部６に接続することにより、前記折線から突出して第二編地部７が第一編地部６に対して前記折線５を頂部として折れ曲がるように付勢する突出部を形成するようにしたことを特徴とするものである。【選択図】図２
2011094243.tif 000002
【特許請求の範囲】
【請求項１】
編針を進退摺動可能に収容した針床を少なくとも前後一対備えた横編機により、編地の折線に沿って折り返されて使用される折り返し編地部分を有する編地の編成方法であって、折線までに編成される第一編地部と、折線以後編成される第二編地部との境界となる折線形成位置において、前後針床の編針の所定の空針に渡って給糸して編み出し部を形成し、当該編み出し部に対し前後それぞれの針床にて編成を行い、当該編み出し部に形成した編目を第一編地部に接続することにより、続いて編成される第二編地部が第一編地部に対して前記折線を頂部として折れ曲がるように付勢する突起部を折り返し位置の山側に形成するようにしたことを特徴とする折り返し編地部分を有する編地の編成方法。
【請求項２】
編み出し部を、少なくとも一方の針床の編針に係止する第一編地部の編目数と略同数の空針を用いて形成することを特徴とする請求項１に記載の折り返し編地部分を有する編地の編成方法。
【請求項３】
編み出し部に続いて前針床及び後針床の双方の編針にそれぞれ給糸して突起部の編成を行い、その際に前針床の編針と後針床の編針とによってそれぞれ形成する編地の長さに差を設けたことを特徴とする請求項１又は請求項２に記載の折り返し編地部分を有する編地の編成方法。
【請求項４】
編針を進退摺動可能に収容した針床を少なくとも前後一対備えた横編機により編成され、折線に沿って折り返され、該折線を境界にして第一編地部と第二編地部とに区画される折り返し編地部分を有する編地であって、折線が形成された第一編地部と第二編地部との境界位置に、折線から突起して形成された、第二編地部が第一編地部に対して前記折線を頂部として折れ曲がるように付勢する癖付け用突起部を備えたことを特徴とする折り返し編地部分を有する編地。
【発明の詳細な説明】
【技術分野】
【０００１】
本発明は、横編機で編成される編地及びその編成方法に係り、更に詳しくは折り返し編地部分を有する編地及びその編成方法に関するものである。
【背景技術】
【０００２】
従来、ポロシャツ、ゴルフシャツといったスポーツシャツや衿付きセーター等において、胴部分に付設されるニット製で折り返しのある衿は、折り曲げ部が一定しないために着用時に折線が崩れたり曲がったりして外観を損ないやすかった。そこで、折線に沿ってミスの組織を形成したり、折線部の編地の厚さを部分的に薄く編成して折りやすくすることで、常に適正な位置で折り曲げられ、美しい折り返しを維持できるようにしたニット製衿が知られている（下記特許文献１，２，３参照）。
また、折線部の編成の際に編糸の種類や太さを変更して折り目を生じさせるニット製衿に関する開示もある（下記特許文献４参照）。
【０００３】
【特許文献１】特公３９−３００１０号公報
【特許文献２】特開２００１−１１７１７号公報
【特許文献３】特開２００１−２９５１１６号公報
【特許文献４】特開２００２−６９７２９号公報
【発明の開示】
【発明が解決しようとする課題】
【０００４】
しかしながら、従来の折り返し編地では、折り返された編地の頂部が折り返し編地の他の部分にずれる場合があった。また、袖口に設けるダブルカフスのように、所定箇所で折り返した形状を維持したい場合には折り返した編地同士を縫い合わせて固定することも考えられるが、縫製などの後工程を要するとともに、縫製部分が硬くなり着用感を損なう。
【０００５】
本発明は、上記した従来の問題点に鑑みてなされたものであって、想定された折線で最も折り返し易くなるとともに、縫製等行わなくても適正箇所で折り返した形状を維持可能な折り返し編地部分を有する編地及びその編成方法の提供を目的とする。
【課題を解決するための手段】
【０００６】
上記目的を達成するために、本発明に係る折り返し編地部分を有する編地の編成方法は編針を進退摺動可能に収容した針床を少なくとも前後一対備えた横編機により、編地の折線に沿って折り返されて使用される折り返し編地部分を有する編地の編成方法であって、折線までに編成される第一編地部と、折線以後編成される第二編地部との境界となる折線形成位置において、前後針床の編針の所定の空針に渡って給糸して編み出し部を形成し、当該編み出し部に対し前後それぞれの針床にて編成を行い、当該編み出し部に形成した編目を第一編地部に接続することにより、続いて編成する第二編地部が第一編地部に対して前記折線を頂部として折れ曲がるように付勢する突起部を折り返し位置の山側に形成するようにしたことを特徴とするものである。
【０００７】
また、前記構成において、編み出し部を、少なくとも一方の針床の編針に係止する第一編地部の編目数と略同数の空針を用いて形成するものである。
【０００８】
そして、前記各構成において、編み出し部に続いて前針床及び後針床の双方の編針にそれぞれ給糸して突起部の編成を行い、その際に前針床の編針と後針床の編針とによってそれぞれ形成する編地の長さに差を設けたものである。
【０００９】
更に、本発明に係る折り返し編地部分を有する編地は編針を進退摺動可能に収容した針床を少なくとも前後一対備えた横編機により編成され、折線に沿って折り返され、該折線を境界にして第一編地部と第二編地部とに区画される折り返し編地部分を有する編地であって、折線が形成された第一編地部と第二編地部との境界位置に、折線から突起して形成された、第二編地部が第一編地部に対して前記折線を頂部として折れ曲がるように付勢する癖付け用突起部を備えたものである。
【発明の効果】
【００１０】
本発明に係る折り返し編地部分を有する編地の編成方法は、折線形成位置において、前後針床の編針の所定の空針に渡って給糸して編み出し部を形成し、当該編み出し部に対し編成を行い、当該編み出し部に形成した編目を第一編地部に接続することにより、前記折線から突起して第二編地部が第一編地部に対して前記折線を頂部として折れ曲がるように付勢する突起部を形成するようにしたので、折り返し編地部分の最も折り返されやすい位置を、予め想定した折線形成位置とすることができるとともに、適正箇所で折り返した形状を維持可能となる利点がある。
【００１１】
また、編み出し部を、針床の編針に係止する第一編地部の編目数と略同数の空針を用いて形成する場合は、第一編地部の編目の伸縮に応じて適度に伸縮できる利点がある。
【００１２】
そして、編み出し部に続いて前針床及び後針床の双方の編針にそれぞれ給糸して突起部の編成を行い、その際に前針床の編針と後針床の編針とによってそれぞれ形成する編地の長さに差を設けた場合には、突起部の頂部における傾斜角度の調整が可能となり、第一編地部を係止する前針床又は後針床において短い編地を形成した場合には第一編地部側に、長い編地を形成した場合には第二編地部側に突起部を傾斜させることで折り返された編地を戻りにくくすることができる。
【００１３】
更に、本発明にかかる折り返し編地部分を有する編地は、折線が形成された第一編地部と第二編地部との境界位置に、折線から突起して形成された、第二編地部が第一編地部に対して前記折線を頂部として折れ曲がるように付勢する突起部を備えたので、想定された折線で適正に折り返すことの可能な折り返し編地部分を有する編地を提供できる利点がある。
【発明を実施するための最良の形態】
【００１４】
以下、本発明に係る折り返し編地部分を有する編地及びその編成方法の最も好ましい実施の形態を図面に基づいて説明する。尚、以下に述べる実施形態では、図示は省略したが、編針を進退摺動可能に設けた針床を少なくとも前後一対設けた横編機を使用し編地を編成する。
【００１５】
また、実施形態において、図４，５，６は編地の編成方法を示し、図中、左側の数字は編成のステップを示し、各ステップにおけるＦは前方の針床、Ｂは後方の針床として示している。
そして、英小文字ａ，ｂ，ｃ，・・・，ｆｆは前方の針床Ｆの編針を示し、英大文字Ａ，Ｂ，Ｃ，・・・，ＦＦは後方の針床Ｂの編針を示し、各ステップ中、三角マークはキャリア５を示す。
更に、キャリア５から給糸されて形成される編目又は空針への編成による掛目は実線で示し、旧ループは白丸で、目移しにより重ねられた編目を二重丸で、掛目をＶ字で示す。
尚、各ステップにおいては便宜上、前後針床Ｆ，Ｂの編針を示す大小英文字及び白丸で示す旧ループは適宜省略してあり、その編針の数も説明の便宜上、実際の数よりも少なく表示してある。
更に、キャリア５は１丁での対応が可能であり、これにより他の編糸を使用しなくても編成できるので該他の編糸の始末なども不要となって効率がよいが、必要に応じて複数のキャリアを使用してもよい。
【００１６】
図１は本願発明の実施の形態に係る折り返し編地部分を有する編地の正面図の一部であり、図２は折り返し編地部分の部分拡大図であり、図３は前記折り返し編地部分の断面図、図４〜図６は図２の折り返し編地部分の突起部の編成図である。
【００１７】
本実施の形態に係る折り返し編地部分２を有する編地１は、編成によって形成されたスポーツシャツや衿付セーターなどの衣服であって、折り返し編地部分２は衣服本体８に付設した衿地であり、図示は省略するが、展開状態で全体が横長の略長方形または略台形をなしている。
この折り返し編地部分２は、折線５に沿って折り返され、該折線５を境界にして第一編地部６と第二編地部７とに区画されており、このうち第一編地部６が衣服本体８から一連の編成作業によって連続して編まれたものである。
【００１８】
そして、図２，３に示すように、折線５が形成される第一編地部６と第二編地部７との境界位置には、折線５から突起して形成された突起部９を備えている。この突起部９は、折り返し位置の山側にあり、第二編地部７が第一編地部６に対して前記折線５を頂部として折れ曲がるように癖付けしている。
【００１９】
この折り返し編地部分２の第一編地部６及び第二編地部７は、シャツの衿等に使用される種々の組織によって編成することができる。例えば、天竺編、袋編、ガーター編、リブ編、ジャガード編等が採用でき、これらの編組織を単独で、或いは、複数種類を組み合わせて複合的な組織としてもよい。
【００２０】
次に、図４〜図６を参照して、折り返し編地部分２の編成方法を説明する。
ステップ１は、衣服本体８の衿用開口部から一連の編成作業によって連続して形成された第一編地部６を前後針床に係止した状態を示している。
第一編地部６は前針床Ｆの編針ｐ，ｑの間で分離するよう前後針床Ｆ，Ｂを折り返してＣ字状に編成され、第一編地部６の背面衿１１を後針床Ｂの編針Ｂ〜ＦＦにより、右前衿１０を前針床Ｆの編針ａ〜ｏにより、左前衿１２を前針床Ｆの編針ｑ〜ｅｅにより、それぞれ針抜きで編成する。
ステップ２は、折線５形成位置において突起部９を形成するに際し、まず、右前衿１０の突起部９を編成するため、前針床Ｆの空針ｂ，ｆ，ｊ，ｎ及び後針床Ｂの空針Ｃ，Ｇ，Ｋ，Ｏに渡って給糸して空針への編成による掛目により編み出し部を形成する状態を示している。
その際、第一編地部６の編目を係止する前針床Ｆの編針ａ，ｃ，ｅ，ｇ，・・・，ｅｅ、及び後針床の編針Ｂ，Ｄ，Ｆ，Ｈ，・・・・，ＦＦは第一編地部６の編目を係止したままの状態を維持する。
【００２１】
ステップ３は、ステップ２で形成した編み出し部のうち前針床Ｆの編針ｂ，ｆ，ｊ，ｎをキャリア５を右方に移動させニットする状態を示し、ステップ４は、編み出し部のうち後針床Ｂの編針Ｃ，Ｋをニットして左方に引き返し、ステップ５は後針床Ｂの編針Ｇ，Ｏをニットして右方に引き返し、更に、ステップ６は後針床Ｂの編針Ｃ，Ｇ，Ｋ，Ｏをニットする状態を示す。これにより袋状の突起部９を形成する。
このように編み出し部に対して同じ大きさの編目を前針床Ｆの編針ｂ，ｆ，ｊ，ｎに１目形成したのに対し、後針床Ｂの編針Ｃ，Ｇ，Ｋ，Ｏを２目形成することで、前後針床Ｆ，Ｂでそれぞれ形成する編地の長さに差を設け、図３に示すように、突起部９を第一編地部６及び第二編地部７から等距離となる面方向Ｐから所定角度Ｄだけ第一編地部６側に傾斜させることができ、これにより、第一編地部６に対して第二編地部７が折り返された状態を戻りにくくすることができる。
【００２２】
即ち、第一編地部６を係止する前針床Ｆの編針ｂ，ｆ，ｊ，ｎで後針床Ｂよりも短い編地を形成すると、図３における突起部の右側９ａが形成され、第一編地部６を係止しない後針床Ｂの編針Ｃ，Ｇ，Ｋ，Ｏで前針床Ｆより長い編地を形成すると、突起部の左側９ｂが形成され、突起部の右側９ａより突起部の左側９ｂの方が長い編地であるために突起部９を第一編地部６側に傾斜させる。
この結果、突起部９は続いて編成される第二編地部７と略同一平面を構成するように視認される。
【００２３】
ここで、仮に前針床Ｆの編針ｂ，ｆ，ｊ，ｎで２目形成し、後針床Ｂの編針Ｃ，Ｇ，Ｋ，Ｏで１目形成した場合には、図３におい破線で示すように、突起部９ｃｃは方向Ｐから所定角度Ｅだけ第二編地部７側に傾斜することとなる。
このように、突起部９の傾斜角度Ｄ，Ｅを編み出し部から前後針床Ｆ，Ｂで形成する編地の長さに差を設けることで調整することが可能となる。
【００２４】
そして、この突起部９が、前後針床Ｆ，ＢにおいてＣ字状に編成される衿地の内方に突起されるため、続いて編成される第二編地部７はＣ字状に編成される衿地の外方に折り返されるよう付勢される。
なお、背面衿１１、左前衿１２においても同様に、突起部９が内方に突起されるので、第二編地部７が外方に折り返される。
【００２５】
ステップ７〜９は、編み出し部に形成した編目を、目移しを行うことで第一編地部６の編目に重ねる状態を示している。
まず、ステップ７は、後針床Ｂの編針Ｃ，Ｇ，Ｋ，Ｏに係止する編目を前針床Ｆの編針ｃ，ｇ，ｋ，ｏに目移しした状態を示し、これによりステップ１において前針床Ｆの編針ｃ，ｇ，ｋ，ｏに係止していた第一編地部６の右前衿１０の編目に重ね目した状態を示す。
ステップ８は、後針床Ｂを左方に１ピッチ移動するラッキングを行ってＬ１．５Ｐとし、前針床Ｆの編針ｂ，ｆ，ｊ，ｎに係止する編目を後針床Ｂの空針Ｃ，Ｇ，Ｋ，Ｏに目移しする状態を示し、ステップ９は、後針床Ｂを左方に更に１ピッチ移動してＬ２．５Ｐとした後、後針床Ｂの編針Ｃ，Ｇ，Ｋ，Ｏに係止する編目を前針床Ｆの編針ａ，ｅ，ｉ，ｍに目移しした状態を示す。
このステップ８，９により、ステップ３において前針床Ｆの編針ｂ，ｆ，ｊ，ｎに形成した編目を左方に隣接する編針ａ，ｅ，ｉ，ｍに係止する編目に重ね目している。
上記ステップ２〜９によって、右前衿１０について、編み出し部から形成した突起部９の編目を第一編地部６の編目に重ね目を行った。
【００２６】
次に、図５を用いて、背面衿１１に突起部９を形成する方法を説明する。
ステップ１０は、後針床Ｂを右に２ピッチ移動するラッキングを行ってＬ０．５Ｐに戻した後、前針床Ｆの編針ｄ，ｈ，ｌ，ｐ，ｔ，ｘ，ｂｂ，ｆｆ及び後針床Ｂの空針Ａ，Ｅ，Ｉ，Ｍ，Ｑ，Ｕ，Ｙ，ＣＣに渡って給糸して背面衿１１についての編み出し部を形成する状態を示している。
【００２７】
ステップ１１は、ステップ１０で形成した編み出し部のうち後針床Ｂの編針Ａ，Ｅ，Ｉ，Ｍ，Ｑ，Ｕ，Ｙ，ＣＣをニットする状態を示し、ステップ１２は、編み出し部のうち前針床Ｆの編針ｈ，ｐ，ｘ，ｆｆをニットし、ステップ１３は前針床Ｆの編針ｄ，ｌ，ｔ，ｂｂをニットし、更に、ステップ１４は前針床Ｆの編針ｄ，ｈ，ｌ，ｐ，ｔ，ｘ，ｂｂ，ｆｆをニットする状態を示す。
このように背面衿１１の突起部９の形成においても、編み出し部に対して前後針床Ｆ，Ｂで形成する編地の長さに差を設け、後針床Ｂの編針Ａ，Ｅ，Ｉ，Ｍ，Ｑ，Ｕ，Ｙ，ＣＣを用いて１目形成したのに対し、前針床Ｆの編針d，ｈ，ｌ，ｐ，ｔ，ｘ，ｂｂ，ｆｆを用いて２目形成し、これにより突起部９を第一編地部６側に傾斜させている。
【００２８】
ステップ１５〜１７は、右前衿１０のステップ７〜９と同様に、編み出し部に形成した編目を第一編地部６の編目に重ね目する状態を示し、ステップ１５は、前針床Ｆの編針ｄ，ｈ，ｌ，ｐ，ｔ，ｘ，ｂｂ，ｆｆに係止する編目を後針床Ｂの編針Ｄ，Ｈ，Ｌ，Ｐ，Ｔ，Ｘ，ＢＢ，ＦＦに目移しした状態を示す。
ステップ１６では、後針床Ｂを右方に１ピッチ移動するラッキングを行ってＲ０．５Ｐとし、後針床Ｂの編針Ａ，Ｅ，Ｉ，Ｍ，Ｑ，Ｕ，Ｙ，ＣＣに係止する編目を前針床Ｆの空針ｂ，ｆ，ｊ，ｎ，ｒ，ｖ，ｚ，ｄｄに目移しし、ステップ１７では、後針床Ｂを左方に１ピッチ移動してＬ０．５Ｐの位置に戻し、その後、前針床Ｆの編針ｂ，ｆ，ｊ，ｎ，ｒ，ｖ，ｚ，ｄｄに係止する編目を後針床Ｂの編針Ｂ，Ｆ，Ｊ，Ｎ，Ｒ，Ｖ，Ｚ，ＤＤに目移しした状態を示している。
このように、ステップ１０〜１７により背面衿１１において編み出し部から形成された突起部９の編地を第一編地部６の編目に重ね目する。
【００２９】
続いて、図６を用いて、左前衿１２に突起部９を形成する方法を説明する。
ステップ１８では、前針床Ｆの空針ｒ，ｖ，ｚ，ｄｄ及び後針床Ｂの空針Ｓ，Ｗ，ＡＡ，ＥＥに渡って給糸して編み出し部を形成し、ステップ１９は、この編み出し部のうち前針床Ｆの編針ｒ，ｖ，ｚ，ｄｄをニットする状態を示している。
ステップ２０は、編み出し部のうち後針床Ｂの編針Ｗ，ＥＥをニットし、ステップ２１は後針床Ｂの編針Ｓ，ＡＡをニットし、更に、ステップ２２は、後針床Ｂの編針Ｓ，Ｗ，ＡＡ，ＥＥをニットする状態を示している。
【００３０】
ステップ２３は、後針床Ｂの編針Ｓ，Ｗ，ＡＡ，ＥＥに係止する編目を前針床Ｆの編針ｓ，ｗ，ａａ，ｅｅに目移しして、後針床Ｂにおいて編み出し部から形成した編目を前針床Ｆの編針ｓ，ｗ，ａａ，ｅｅに係止する第一編地部６の左前衿１２の編目に重ね、ステップ２４では、後針床Ｂを右方に１ピッチラッキングしてＲ０．５Ｐとし、前針床Ｆの編針ｒ，ｖ，ｚ，ｄｄに係止する編目を後針床Ｂの空針Ｑ，Ｕ，Ｙ，ＣＣに目移しする状態を示し、ステップ２５は、後針床Ｂを左方に１ピッチ移動して元のＬ０．５Ｐに戻した後、後針床Ｂの編針Ｑ，Ｕ，Ｙ，ＣＣに係止する編目を前針床Ｆの編針ｑ，ｕ，ｙ，ｃｃに目移しする状態を示し、これにより、左前衿１２において、編み出し部から形成した突起部９の編目を第一編地部６の編目に重ね目している。
【００３１】
ステップ２６は第一編地部６の編目に突起部９の編目を重ね目した状態で前針床Ｆの編針ａ〜ｏ、後針床Ｂの編針Ｂ〜ＦＦ及び前針床Ｆの編針ｑ〜ｅｅをＣ字状にニットすることで、編み出し部に形成した編目を第一編地部６に接続した状態を示す。
【００３２】
ステップ２６の後は、前針床Ｆの編針ａ〜ｅｅ及び後針床Ｂの編針Ｂ〜ＦＦを用いて第二編地部７をＣ字状に編成する。
以上のステップ１〜２６によって、折線５から突起した突起部９を形成することができ、この突起部９により第二編地部７が第一編地部６に対して前記折線５を頂部として折れ曲がるように付勢することで、折り返し編地部２の他の編地部分に比較して想定された折り返し位置である折線５において最も折り返しやすくすることができる利点がある。
【００３３】
また、折線５で折り返した形状を維持できるので、従来の折り返し編地のように折り返された編地の頂部が折り返し編地の他の部分にずれるといったことがなく、折り返した形状を維持したい場合に行っていた縫製等の後工程が不要となる。
よって、手間が省けるとともに、第一編地部６と第二編地部７とが縫製により固定されないので、ニットの特性を生かした伸縮自在且つ柔軟な着用感を有する編地を提供できる。
【００３４】
また、編み出し部の編目数を、前後針床Ｆ，Ｂの編針ａ〜ｅｅ，Ｂ〜ＦＦに係止する第一編地部６の編目数と略同数としたので、第一編地部６及び第二編地部７のウェール方向の伸縮に応じた適度な伸縮を可能とし、突起部９の編地が第一編地部６及び第二編地部７の編地幅と略同じ長さになり、突起部９を不自然に目立たせるといったことなく、折り返し編地部分２の美しい外観形状を維持できる。
その際、突起部９の編目数が第一編地部６及び第二編地部７の編目数より多い場合には、突起部９を構成する編地が第一編地部６及び第二編地部７の編地に対してウェール方向に長く余った状態となり、逆に少ない場合には突起部９の編糸が短くつれた状態となり伸びにくくなる。
【００３５】
そして、編み出し部に続いて前後針床Ｆ，Ｂの編針ａ〜ｅｅ，Ｂ〜ＦＦによってそれぞれ形成する編地の長さに差を設けたので、折線５に沿ってより正確且つ確実に第二編地部７を第一編地部６に対して折れ曲がるように癖付けできるとともに、第二編地部７の折れ曲がった状態を維持する効果も得られる。
【００３６】
尚、上記実施形態においては針床を前後２枚有する２枚ベッドの横編機を用いて針抜き編成を行ったが、本発明に係る折り返し編地部分を有する編地およびその編成方法はこれに限定されず、針床を４枚有するいわゆる４枚ベッドの横編機を用いて編成してもよい。
また、折り返し編地部分２を有する編地１を衿付き衣服とし、折り返し編地部分２を衿地としたが、衣服以外の他の編地に本実施形態の折り返し編地部分を設けてもよく、衣服のダブルカフス等、衣服の他の部分に設けてもよい。
【００３７】
また、折り返し編地部分２を前針床Ｆの編針ｐ，ｑで分離したＣ字状に編成したが、平編み、筒編や、針床の他の位置で分離したＣ字状として編成してもよく、衣服の衿地としての折り返し編地部分を筒状に編成することにより、適正な箇所で最も折り返しやすくできるタートルネックの編地を得ることができる。
また、突起部９は折線５の全長に渡って形成したが、必ずしも全長に渡って形成する必要はなく、折線５の中央部分である背面衿部分のみに設けてもよく、断続的に設けてもよい。
また、突起部９の編地について、前後針床Ｆ，Ｂの編針によってそれぞれ形成する編地の長さを同じ編目丈の編目を１目または２目として差を設けたが、前後針床で形成する編地の長さに差を設けずに編成してもよく、また、同じ編目数で編目丈に差を設けて編成してもよい。
そして、突起部９を構成する編目数を１目または２目より多い編目数に適宜変更することも可能である。
このように、前後針床Ｆ，Ｂの編針によってそれぞれ形成する編地の長さを同一又は差を設けることで頂部から突起された突起部の傾斜角度を自由に調整可能であり、これにより、折り返し編地部分の形状の維持に効果を得つつ、外観上の変化を生じさせることができる。
【図面の簡単な説明】
【００３８】
【図１】本発明の一実施形態に係る折り返し編地部分を有する編地の正面図である。
【図２】前記編地の部分拡大図である。
【図３】前記編地の部分断面図である。
【図４】前記編地の編成図である。
【図５】前記編地の編成図である。
【図６】前記編地の編成図である。
【符号の説明】
【００３９】
１  折り返し編地部分を有する編地
２  折り返し編地部分
３  折線
５  キャリア
６  第一編地部
７  第二編地部
９  突起部
Ｆ  前針床
Ｂ  後針床
【図１】
2011094243.tif 000003
【図２】
2011094243.tif 000004
【図３】
2011094243.tif 000005
【図４】
2011094243.tif 000006
【図５】
2011094243.tif 000007
【図６】
2011094243.tif 000008